(57)【特許請求の範囲】
【請求項１】
二つの地板の間に配置された先羽根群と後羽根群とが、各々、前記二つの地板の一方に枢着された二つのアームと、それらのアームの長さ方向に順に枢支された複数枚の羽根とで構成されており、それらの四つのアームの枢着部が露光開口の同じ側方位置において略直線的に配列され、互いに他方の羽根群のアームに隣接して枢着されたアームには、枢着部近傍位置に掛けられたねじりコイルばねによって常に回転方向ヘの付勢力が付与されており、前記二つの地板を仕切って先羽根群の羽根室と後羽根群の羽根室とを形成している中間板には、前記ねじりコイルばねのコイル部に接触しないようにして、前記ねじりコイルばねの腕部の作動平面を仕切るために、少なくとも一つの張出部を設けるようにしたことを特徴とするカメラ用フォーカルプレンシャッタ。
【請求項２】
前記二つの地板に、夫々、前記張出部に接触する位置規制部を設け、前記張出部が光軸と平行な方向ヘ変位するのを規制するようにしたことを特徴とする請求項１に記載のカメラ用フォーカルプレンシャッタ。
【請求項３】
後羽根群が、撮影前には先羽根群と共に露光開口の遮光位置にあり、撮影時に露光作動に先立って、露光作動開始位置へ作動するようにしたことを特徴とする請求項１又は２に記載のカメラ用フォーカルプレンシャッタ。
【発明の詳細な説明】
【０００１】
【発明の属する技術分野】
本発明は、撮影に際して、先羽根群と後羽根群とを同一方向へ順次作動させ、両方の羽根群のスリット形成羽根によって形成されたスリットにより、感光面の露光を行うようにしたカメラ用のフォーカルプレンシャッタに関する。
【０００２】
【従来の技術】
最近のフォーカルプレンシャッタは、その殆どのものが、二つの地板の間を中間板で仕切ることによって二つの羽根室を形成し、それらの羽根室に、先羽根群と後羽根群とを配置している。また、各羽根群は略同じような構成をしていて、基本的には、露光開口の一方の側方位置で一方の地板に枢着された二つのアームと、横長形状をしていて二つずつの連結軸によって上記の二つのアームに順に枢支された複数枚の羽根とで構成されている。そして、それらの複数枚の羽根のうち、アームの最先端に枢支された羽根がスリット形成羽根である。また、各羽根群は、各羽根室内において、羽根を中間版側にし、アームを地板側にして配置されている。
【０００３】
ところが、各羽根群は、上記のように軸と孔との連結部を多数有しており、且つそれらの連結部には夫々公差が設けられているために、そのままの構成で露光作動を行わせると、極めて不安定な作動が行われ、スリット形成羽根による適正な露光制御が行えなくなってしまう。そこで、従来においては、二つのアームの一方に対して、俗にガタ寄せばねと称されているねじりコイルばねを掛け、各連結部の公差によるガタツキを最小限に抑制して、スリット形成羽根の作動を安定させ、適正な露光制御が行えるようにしている。そして、そのような構成の一例が、特開平１０−１８６４４９号公報に開示されている。
【０００４】
一方、最近のカメラの小型化には目覚しいものがあり、当然のことながら、シャッタユニットに対する小型化の要求も強くなっている。ところで、シャッタユニットの小型化という場合には、被写体側から視た平面形状を小さくすることのほかに、カメラ内にミラーボックス等を設置する必要がある関係で、上記した二つの地板の間隔を、可能な限り小さくすることも要求されている。そのため、羽根室を構成している上記の三つの板部材の厚さや相互の間隔を、可能な限り小さくするようにはしているが、そのような努力には自ずと限界がある。
【０００５】
特に、考慮しなければならない点の一つとして、上記したガタ寄せばねの存在がある。即ち、各羽根室を形成している地板と中間板との間を狭くすると、それらの間に所定の巻き数のガタ寄せばねを配置することができないことになる。そのため、従来は、先羽根群のガタ寄せばねも後羽根群のガタ寄せばねも、共に二つの地板の間に配置するようにしている。そして、ガタ寄せばねの配置される近傍位置は、周知のように、先羽根群を駆動する先羽根用駆動部財の駆動ピンと後羽根群を駆動する後羽根用駆動部財の駆動ピンとの作動領域になっていることから、中間板によって仕切らず、オープンスペースとしている。従って、上記の公報においても、ガタ寄せばね（安定バネ１０，２６）の構成が若干特殊であるとはいえ、中間板（仕切り板３）は、そのような極めて一般的な形状で示されている。
【０００６】
また、上記のようなガタ寄せばねの近傍位置や、更に中間板によって仕切っているその周辺位置は、全てアームや羽根の作動領域となっている。そのため、その周辺位置では、十分な空きスペースを確保できないために、中間板は、直接的にも間接的にも地板に固定されていない。その上、中間板は、極めて薄い材料で製作されているために、上記の周辺位置に臨んでいる部位は、撓み易く且つ板面の垂直方向ヘ動き易くなっている。また、通常のガタ寄せばねは、先羽根群と後羽根群とに別々に設けられていて、先端にフックを形成している腕部が、フックを掛けているアームよりも他方の羽根群側となって、上記のオープンスペース内の平面領域を作動するようになっている。
【０００７】
【発明が解決しようとする課題】
ところで、上記のような構成をしている各羽根群は、撮影時においては急速に作動することになるが、その場合、各羽根群は、全体としては所定の方向ヘ作動するものの、個々の構成部材には、その所定の作動方向への力が加わるだけではなく、複雑な方向への力が作用することになってしまい、羽根やアームが撓んだり傾いたりしてしまうことが知られている。このような現象を、通常、あばれ現象と称しているが、それが、スリット形成羽根による露光制御を不安定にする大きな要因にもなっている。また、このようなあばれ現象は、作動停止時において極端となり、羽根群を破壊する要因にもなっている。
【０００８】
そのため、あばれ現象が生じて、ガタ寄せばねを掛けたアームに対して複雑な方向ヘの力が大きく作用すると、そのアーム自身も撓むし、中間板をも撓ませてしまうことになり、一方の羽根群のガタ寄せばねの腕部を、他方の羽根群側の羽根などに接触させてしまうような事態を発生させてしまうことがあった。また、特に二重遮光方式のシャッタの場合には、ガタ寄せばねを掛けている両方の羽根群のアーム同士が、交差状態となって作動することがあるため、一方の羽根群のガタ寄せばねの腕部が、他方の羽根群の羽根のほか、他方の羽根群のガタ寄せばねの腕部やアーム自体にも接触してしまうことがあって、作動を不安定にする要因になっていた。
【０００９】
本発明は、このような問題点を解決するためになされたものであり、その目的とするところは、ガタ寄せばねの腕部が作動する平面領域に中間板を張り出させ、先羽根群と後羽根群が作動上干渉しないようにした小型化に有効なカメラ用フォーカルプレンシャッタを提供することである。
【００１０】
【課題を解決するための手段】
上記の目的を達成するために、本発明のカメラ用フォーカルプレンシャッタは、二つの地板の間に配置された先羽根群と後羽根群とが、各々、前記二つの地板の一方に枢着された二つのアームと、それらのアームの長さ方向に順に枢支された複数枚の羽根とで構成されており、それらの四つのアームの枢着部が露光開口の同じ側方位置において略直線的に配列され、互いに他方の羽根群のアームに隣接して枢着されたアームには、枢着部近傍位置に掛けられたねじりコイルばねによって常に回転方向ヘの付勢力が付与されており、前記二つの地板を仕切って先羽根群の羽根室と後羽根群の羽根室とを形成している中間板には、前記ねじりコイルばねのコイル部に接触しないようにして、前記ねじりコイルばねの腕部の作動平面を仕切るために、少なくとも一つの張出部を設けるようにする。
また、本発明のカメラ用フォーカルプレンシャッタにおいては、前記二つの地板に、夫々、前記張出部に接触する位置規制部を設け、前記張出部が光軸と平行な方向ヘ変位するのを規制するようにすると、一段と有効になる。
更に、本発明のカメラ用フォーカルプレンシャッタは、後羽根群が、撮影前には先羽根群と共に露光開口の遮光位置にあり、撮影時に露光作動に先立って、露光作動開始位置へ作動するように構成したとき、特に大きな効果を発揮する。
【００１１】
【発明の実施の形態】
本発明の実施の形態を、図１〜図１７に示した実施例によって説明する。尚、本実施例は、本発明を二重遮光方式のフォーカルプレンシャッタに適用したものである。そして、図１は、被写体側、即ち撮影レンズ側から視たセット状態の平面図であって、図２〜図８は、セット状態における実施例の各構成部品の平面図であり、図９は、図１の部分的な左側面図である。また、図１０及び図１１は、紙面の制約から細部が見にくくなるために、図１の左側の部分だけを拡大して示したものであって、図１０は図１から周知の先羽根用駆動部材と、後羽根用駆動部材と、各羽根群の羽根を取り外して示した平面図であり、図１１は羽根室を構成するシャッタ地板と、中間板と、補助地板との三者の重なり関係を理解し易いように示した平面図である。更に、図１２〜図１７は、実施例の作動を説明するために示した平面図である。
【００１２】
先ず、本実施例の構成を、主に図１〜図１１を用いて説明するが、説明の便宜上、各構成部材のレンズ側を表面側と称し、フィルム面側を背面側と称することにする。図２は、主に、本実施例のシャッタ地板１を示したものである。このシャッタ地板１は合成樹脂製であって、略中央部には開口部１ａが形成されており、その左側の側方位置には四つの円弧状の長孔１ｂ，１ｃ，１ｄ，１ｅが形成されている。そして、長孔１ｂの下端部と、長孔１ｃの上下両端部には、周知のようにして、平面形状がＣ字状をしているブチルゴム製の緩衝部材２，３，４が取り付けられている。また、シャッタ地板１の表面側には、軸１ｆ，１ｇ，１ｈ，１ｉが立設されている。それらのうち、軸１ｆ，１ｇ，１ｈは、根元側に、後述する各回転部材の座部が形成されており、先端側には、小径部が形成されている。更に、軸１ｈ，１ｉの先端面には、ねじ孔１ｈ1，１ｉ1が形成されている。
【００１３】
シャッタ地板１の背面側には、周知のように開口部１ａを囲むようにして、座ぐり部１ｊが形成されている。また、開口部１ａの右側は肉厚部１ｋとして形成されており、表面側は基準面と同一面になっているが、背面側は基準面よりも隆起した面となっている。また、その肉厚部１ｋの右側の上下位置には、係合部１ｋ1，１ｋ2が形成されている。そして、開口部１ａの上下位置の背面側には、隆起した肉厚部１ｋの面と基準面との間に、斜面１ｋ3，１ｋ4が形成されている。また、シャッタ地板１の左上隅には、背面側に厚さの異なる二つの肉厚部１ｍ，１ｎが形成されていて、厚い方の肉厚部１ｍの段面には直方体をした緩衝部材５が、接着剤によって取り付けられている。更に、開口部１ａの下方位置には背面側に二つの棚部１ｐ，１ｑが形成されていて、夫々の上面に、直方体の緩衝部材６，７が接着剤によって取り付けられている。
【００１４】
更に、シャッタ地板１の背面側には、軸１ｒ，１ｓ，１ｔ，１ｕ，１ｖ，１ｗ，１ｘ，１ｙが立設され、且つ突起部１ｚが設けられていて、それらのうち、軸１ｒ，１ｔ，１ｖは、表面側に立設された軸１ｆ，１ｇ，１ｉと同心的に配置されている。また、軸１ｗには、先端面にねじ孔１ｗ1が形成されている。実際には、軸１ｖの先端面にも、同様にしてねじ孔が形成されているが、図面上では軸１ｉと重なってしまうため、明示されていない。そして、軸１ｗには、所定の厚さを有している環状の緩衝部材８が、接着剤によって取り付けられている。更に、軸１ｘ，１ｙの先端部の周囲には環状に溝が形成されており、また、軸１ｘの根元側には、間座部１ｘ1が形成されている。また、突起部１ｚは、後述の説明から理解されるように、中間板３６の位置規制を行うためのものである。
【００１５】
次に、シャッタ地板１の表面側に取り付けられている構成部材を、主に図３及び図４を用いて説明する。既に説明したように、シャッタ地板１の軸１ｆ，１ｇ，１ｈの先端部には小径部が形成されていて、更に、軸１ｈ、１ｉの先端面には、ねじ孔１ｈ1，１ｉ1が形成されている。そこで、それらの小径部に対して、シャッタ地板１側から順に、先ず、支持板９（図３（ｃ）参照）の孔９ａ，９ｂ，９ｃを嵌合させ、次に、プリント配線板１０（図３（ｂ）参照）の孔１０ａ，１０ｂ，１０ｃを嵌合させた後、ネジ１１，１２（図３（ａ）参照）を、軸１ｈ，１ｉのねじ孔１ｈ1，１ｉ1に螺合させるようにしている。
【００１６】
また、支持板９には、折り曲げ加工によって、爪部９ｅ，９ｆ、ばね掛け部９ｇ、取付部９ｈ，９ｉが形成されている。この取付部９ｈ，９ｉは、極めて複雑な形状をしているが、本発明とは直接関係がないために、詳しい説明については省略することにする。そして、それらの取付部９ｈ，９ｉには、夫々、シャッタ地板１側に、先羽根用電磁石１３と後羽根用電磁石１４が取り付けられている。また、各電磁石１３，１４は、鉄芯１３ａ，１４ａとコイル１３ｂ，１４ｂを有していて、コイル１３ｂ，１４ｂの各々の二つの端子は、プリント配線板１０に接続されるようになっている。
【００１７】
シャッタ地板１と支持板９との間において、軸１ｆには先羽根用駆動部材１５が、また、軸１ｇには後羽根用駆動部材１６が、夫々、回転可能に取り付けられている。また、それらの軸１ｆ，１ｇの小径部には、ラチェット車１７，１８が回転可能に取り付けられている。図４（ｃ）に示されているように、先羽根用駆動部材１５は、合成樹脂製であって、上記の軸１ｆに回転可能に嵌合させるための筒部１５ａと、駆動ピン１５ｂと、取付部１５ｃとを有していて、背面側にはローラ１９を回転可能に取り付けている。また、駆動ピン１５ｂは、シャッタ地板１の長孔１ｂを貫通して背面側に突き出ており、取付部１５ｃには、鉄片部材２０が取り付けられている。この鉄片部材２０は、先羽根用電磁石１３の鉄芯１３ａに吸着されるようになっているが、その具体的な構成については後述する。
【００１８】
先羽根用駆動部材１５の筒部１５ａには、図４（ｂ）に示した先羽根用駆動ばね２１が、図９に示すようにして嵌装されており、その一端が上記した取付部１５ｃの一部に掛けられ、その他端がラチェット車１７のばね掛け部１７ａ（図４（ａ）参照）に掛けられている。しかし、ラチェット車１７は、その歯部１７ｂが支持板９の爪部９ｅに噛合し、図４（ａ）において反時計方向ヘの回転を阻止されているため、先羽根用駆動ばね２１は、図４（ｃ）に示された先羽根用駆動部材１５を時計方向ヘ回転させるように付勢している。そして、その付勢力の調整は、爪部９ｅとラチェット車１７の噛合位置を変えることによって行えるようになっている。
【００１９】
他方、軸１ｇに回転可能に取り付けられている後羽根用駆動部材１６（図４（ｃ）参照）も、先羽根用駆動部材１５と同様に合成樹脂製であって、上記の軸１ｇに回転可能に嵌合される筒部１６ａと、駆動ピン１６ｂと、取付部１６ｃとを有しており、背面側にはローラ２２を回転可能に取り付けている。また、駆動ピン１６ｂは、シャッタ地板１の長孔１ｃを貫通して、背面側に突き出ており、その突き出した部分には平らな押動面１６ｂ1が形成されている。更に、取付部１６ｃには、鉄片部材２３が取り付けられている。この鉄片部材２３は、後羽根用電磁石１４の鉄芯１４ａに吸着されるようになっているが、その具体的な構成については、上記した鉄片部材２０の構成と併せて後述する。
【００２０】
また、後羽根用駆動部材１６の筒部１６ａには、図４（ｂ）に示した後羽根用駆動ばね２４が嵌装されており、その一端が上記した取付部１６ｃの一部に掛けられ、その他端がラチェット車１８のばね掛け部１８ａ（図４（ａ）参照）に掛けられている。しかし、ラチェット車１８は、その歯部１８ｂが支持板９の爪部９ｆに噛合し、図４（ａ）において反時計方向ヘの回転を阻止されているため、後羽根用駆動ばね２４は、図４（ｃ）に示された後羽根用駆動部材１６を、時計方向ヘ回転させるように付勢している。尚、その付勢力の調整については、上記の先羽根用駆動ばね２１の場合に準じて行われる。
【００２１】
ここで、上記した二つの鉄片部材２０，２３の具体的な取付け構成を説明しておく。図１２は、各駆動部材１５，１６の取付部１５ｃ，１６ｃの一部を破断することによって、鉄片部材２０，２３の取付け構成を理解し易いように示している。即ち、鉄片部材２０，２３は、上記した各電磁石１３，１４の鉄芯１３ａ，１４ａに吸着される鉄片部２０ａ，２３ａと、軸部２０ｂ，２３ｂと、頭部２０ｃ，２３ｃとで構成されていて、軸部２０ｂの軸方向に移動し得るようにして取り付けられている。そして、圧縮ばね２５，２６によって、鉄片部２０ａ，２３ａを、取付部１５ｃ，１６ｃから突き出す方向ヘ付勢されている。
【００２２】
シャッタ地板１と支持板９との間において、軸１ｈには、図４（ｅ）に示されているセット部材２７が、回転可能に取り付けられている。このセット部材２７は、合成樹脂製であって、上記の軸１ｈに回転可能に嵌合される筒部２７ａと、押動部２７ｂ，２７ｃと、被押動部２７ｄと、ばね掛け部２７ｅと、ピン２７ｆを有している。また、セット部材２７の筒部２７ａには、図４（ｄ）に示した復帰ばね２８が、図９に示すようにして嵌装されており、その一端を、ばね掛け部２７ｅに掛け、他端を、上記した支持板９のばね掛け部９ｇに掛けている。それによって、セット部材２７は、図４（ｅ）において、反時計方向ヘ回転するように付勢されている。そして、その復帰ばね２８によるセット部材２７の回転は、シャッタ地板１の長孔１ｄに挿入されたピン２７ｆが、その長孔１ｄの右側の端面に当接することによって停止されるようになっている。
【００２３】
尚、セット部材２７については、上記のようにしてピン２７ｆが長孔１ｄの右側の端面に当接し停止している位置を、以後、初期位置と称することにする。また、復帰ばね２８によるセット部材２７の回転を停止させるために、セット部材２７にこのようなピン２７ｆを設けること自体は周知である。しかし、本実施例においては、このピン２７ｆが、従来のピンよりも長く形成されており、羽根室内にまで延伸させていることによって、二重遮光機能に関与させるようになっているが、そのことについては、後述する他の部材の構成説明と、実施例の作動説明から理解することが可能になる。
【００２４】
以上の説明で、シャッタ地板１自身と、主にシャッタ地板１の表面側に取り付けられる部材の構成説明を終わり、以後は、シャッタ地板１の背面側に取り付けられる部材と、その取付け構成について説明することにするが、先ずは、その背面側の全体構成について、説明をしておく。シャッタ地板１の背面側には、夫々、所定の間隔を空けて中間板３６（図６参照）と補助地板４６（図８（ｂ）参照）とが取り付けられ、シャッタ地板１と中間板３６との間が後羽根群（図５（ａ）参照）の羽根室となり、中間板３６と補助地板４６との間が先羽根群（図７（ａ）参照）の羽根室となっている。また、中間板３６と補助地板４６にも、略中央部に開口部３６ａ，４６ａが形成されており、シャッタ地板１の開口部１ａをそれらと重ね合わせることによって、長方形を横長にした露光開口が形成されるようになっている。
【００２５】
そこで、先ず、図５（ａ）に示された後羽根群について説明する。後羽根群は、二つのアーム２９，３０と、それらの長さ方向に順に枢支された４枚の羽根３１，３２，３３，３４で構成されていて、最先端に枢支された羽根３４がスリット形成羽根である。各羽根の枢支は、周知のように、リベット部品である連結軸を用いて行われている。即ち、アームと羽根とに形成されている孔に、連結軸をアーム側から挿入し、その挿入端を、羽根にかしめて固定している。従って、この後羽根群の場合には、二つのアーム２９，３０が、各羽根３１，３２，３３，３４よりもシャッタ地板１側に配置されていて、それらのアーム２９，３０から、各連結軸の頭が、シャッタ地板１側に突き出た構成をしていることになる。
【００２６】
このような枢支構成自体は周知である。しかし、本実施例の特徴は、アーム２９，３０の形状にある。即ち、アーム２９は、後羽根群の主アームであって、孔２９ａを、シャッタ地板１の軸１ｔに回転可能に嵌合させているが、羽根３１の枢支部の近傍には、被押動部２９ｂが形成されていて、既に説明した後羽根用駆動部材１６の駆動ピン１６ｂに形成された押動面１６ｂ1が、その被押動部２９ｂを押し得るようになっている。もう一つのアーム３０は、従アームであって、孔３０ａを、シャッタ地板１の軸１ｕに回転可能に嵌合させており、先端部には張出部３０ｂが形成されている。また、先端部方向に延伸させた腕部３０ｃとの間において、先端部方向に開口した長溝３０ｄを形成している。そして、その腕部３０ｃの先端には、既に説明したセット部材２７のピン２７ｆに摺接し、そのピン２７ｆが長溝３０ｄ内に入り込み易いようにするための傾斜面３０ｃ1が形成されている。
【００２７】
この後羽根群の従アーム３０には、もう一つの孔３０ｅが形成されていて、そこに、図５（ｂ）に示したセットばね３５が掛けられている。即ち、セットばね３５は、ねじりコイルばねであって、そのコイル部３５ａをシャッタ地板１の軸１ｕに嵌装させている。そして、その一方の腕部３５ｂをシャッタ地板１の軸１ｓに掛け、他方の腕３５ｃの先端に形成されたフック３５ｄを従アーム３０の孔３０ｅに掛けることによって、従アーム３０を、反時計方向ヘ回転させるように付勢している。
【００２８】
従アーム３０に対して、このようにして、ばねを掛けること自体は、従来からも行われている。しかし、従来のばねは、各枢支部のガタ寄せを行うだけの目的で配置されていたが、本実施例のセットばね３５の場合には、ガタ寄せを行う目的のほかに、後述の説明から分かるように、後羽根群全体を露光作動開始位置まで作動させる目的をも有しているため、その付勢力は、ガタ寄せを行うだけの場合よりも大きく設定されている。そして、このガタ寄せ兼用のセットばね３５は、図９から分かるように、コイル部３５ａが、シャッタ地板１と補助地板４６の間に配置されていて、孔３０ｅに掛けられているフック３５ｄの一部は、シャッタ地板１には接触せず、長孔１ｅの中を移動するようになっている。
【００２９】
ところで、シャッタ地板１に対して、このような後羽根群を組み付ける場合、通常は、シャッタ地板１を、その表面側を下にして治具の上に置いておき、軸１ｔ，１ｕに対して、アーム２９，３０の孔２９ａ，３０ａを上から嵌合させるようにしている。このとき、セットばね３５を、予め軸１ｕに嵌装させておき、そのフック３５ｄを、シャッタ地板１側から孔３０ｅに掛けるようにすることも設計上は可能である。しかしながら、そのような構成には問題がある。
【００３０】
即ち、上記したように、アーム２９，３０は、羽根３１、３２，３３，３４よりもシャッタ地板１側にある。そのため、セットばね３５のコイル部３５ａの長さ（軸線に沿う方向の長さ）分だけ、従アーム３０の枢着部がシャッタ地板１から離されて、従アーム３０が撓んでしまうからである。また、撓ませないようにするために、主アーム２９の枢着部も従アーム３０と同様にシャッタ地板１から離し、且つ両アーム２９，３０の平面をシャッタ地板１の面に対して平行に組みつけるように設計することも可能であるが、そのようにすると、それに応じてシャッタ地板１と補助地板４６の間隔を大きくせざるを得なくなり、シャッタの小型化に対する要求に応えられなくなってしまうからである。
【００３１】
更に、本実施例のように二重遮光方式のシャッタとした場合には、後述の作動説明からも分かるように、後羽根群の従アーム３０と、後述の先羽根群の従アーム３８とが交差状態で作動するため、後述する中間板３６の形状ではなく、従来の形状の中間板の場合には、セットばね３５のフック３５ｄが、その従アーム３８や、後述の羽根３９，ガタ寄せばね４３に接触してしまうというような事態も発生させてしまうことになるからである。
【００３２】
そこで、それらのようなことが生じないようにするために、セットばね３５のコイル部３５ａを補助地板４６側に配置したままにしておき、そのコイル部３５ａから延伸している腕部３５ｃを折り曲げてシャッタ地板１側に引き回すようにし、フック３５ｄをシャッタ地板１側から従アーム３０の孔３０ｅに掛けるようにすることも考えられる。しかしながら、そのようにした場合には、セットばね３５の製作が面倒になるばかりでなく、明らかに組み付け作業も面倒になってしまう。
【００３３】
そこで、従来のように、ガタ寄せの目的だけで設けられていたガタ寄せばねの場合にも、予め後羽根群を軸１ｔ，１ｕに組み付けた後に、コイル部を軸１ｕに嵌装し、そのフックを、シャッタ地板１とは反対側から孔３０ｅに掛けるようにしていた。即ち、孔３０ｅに掛けたガタ寄せばねのフックは、その端部がシャッタ地板１側に突き出るようになっていて、シャッタ地板１に接触するようになっていた。そのため、本実施例のセットばね３５の場合にも、ガタ寄せばねであることには変わりがないので、従来のガタ寄せばねの場合と同様にして組みつけられている。しかしながら、本実施例の場合には、シャッタ地板１に長孔１ｅが形成されているので、セットばね３５のフック３５ｄは、シャッタ地板１に接触していない。尚、本実施例の長孔１ｅは貫通孔であるが、その一部を開口させた長溝として形成してもよいし、フック３５ｄに接触しなければ、貫通していない窪みとして形成してもよく、作用効果は同等である。
【００３４】
更に、本実施例は二重遮光方式のシャッタであるため、セットばね３５の付勢力は、通常のガタ寄せばねの付勢力よりも大きくなっている。しかし、その付勢力は、露光作動時には後羽根群の作動に対して逆らうように作用するため、それほど大きく設定されているわけではない。そのため、セットばね３５のフック３５ｄがシャッタ地板１に接するようなことがあると、後羽根群を、所定時間内に、二重遮光位置から露光作動開始位置まで作動させることができなくなる可能性がある。しかし、本実施例においては、上記のようにフック３５ｄがシャッタ地板１に接触していないので、そのような事態は生じない。
【００３５】
次に、図６を用いて中間板３６について説明する。中間板３６の略中央部には、既に説明した開口部３６ａが形成されており、その開口部３６ａの左側には二つの円弧状の長孔３６ｂ，３６ｃが形成され、また、開口部３６ａの右側には二つの孔３６ｄ，３６ｅが形成されている。そのうち、長孔３６ｂ，３６ｃは、上記した各駆動部材１５，１６の駆動ピン１５ｂ，１６ｂを貫通させており、それによって、駆動ピン１５ｂの場合には、中間板３６の背面側の羽根室で、後述する先羽根群と連結することが可能になっている。また、駆動ピン１６ｂの場合には、長さが短いと、上記した後羽根群の主アーム２９の被押動部２９ｂを確実に押動できない場合が生じてしまうが、長孔３６ｃを貫通させていることによって、確実に押動できるようになっている。
【００３６】
また、孔３６ｄ，３６ｅは、シャッタ地板１の軸１ｘ，１ｙに嵌合させるためのものである。そして、本実施例においては、この中間板３６とシャッタ地板１との間隔は、数カ所で維持されるようになっている。即ち、開口部３６ａの上方位置は、後羽根群の４枚の羽根３１，３２，３３，３４が重畳状態となるので、それに必要な間隔が、孔３６ｄの縁を間座部１ｘ1に接触させ、且つ張出部３６ｆを肉厚部１ｎに接触させることによって、得られるようになっている。また、開口部３６ａの下方位置は、上方位置よりも間隔が狭くて良く、本実施例の場合には、シャッタ地板１の棚部１ｐ，１ｑがその役目をしている。
【００３７】
更に、開口部３６ａの左方位置には、三つの張出部３６ｇ，３６ｈ，３６ｉが形成されていて、それらの間に二つの逃げ部３６ｊ，３６ｋが形成されている。図１１においては、中間板３６の外形が二点鎖線で示されているが、その図１１と図９からも分かるように、上記の張出部３６ｉは、シャッタ地板１の突起部１ｚの先端に接触することによって、シャッタ地板１側への移動が規制されるようになっている。尚、図１１から分かるように、張出部３６ｇは、セットばね３５の腕部３５ｃが、従アーム３０の如何なる作動位置においても、後述する先羽根群の羽根室に臨まないようにさせており、また、張出部３６ｉは、後述するガタ寄せばね４３の腕部４３ｃが後羽根群の羽根室内に臨まないようにさせている。また、逃げ部３６ｊ，３６ｋは、上記のばね３５，４３のコイル部３５ａ，４３ａに接触しないように逃げており、それによって、ばね３５，４３は、狭いスペース内で、所定の巻き数を確保でき、且つ効果的に機能するようになっている。
【００３８】
また、中間板３６とシャッタ地板１との間隔は、光軸の左側、即ち開口部３６ａの中央部より左側の位置においては、羽根３１，３２，３３，３４の厚さのほか、アーム２９，３０の厚さや、各羽根を取付けるための連結軸の頭の突出し量を考慮して決める必要があるが、開口部３６ａの右側においては、羽根３１，３２，３３，３４の厚さだけを考慮して決めることになる。そのため、通常、その右側の位置には、後述する先羽根用押さえ板４５と似た形状の後羽根用押さえ板と称されている部材を配置し、間隔を狭くしているが、本実施例においては、シャッタ地板１に肉厚部１ｋが形成されているので、そのような部材は配置されていない。
【００３９】
上記のような中間板３６の背面側には、図７（ａ）に示すような先羽根群が配置されている。この先羽根群は、従来の先羽根群と全く同じ構成をしていて、主アーム３７と、従アーム３８と、周知の連結軸を介してそれらに枢支された４枚の羽根３９，４０，４１，４２とで構成されており、羽根４２がスリット形成羽根となっている。そして、それらの重なり関係は、上記した後羽根群の場合とは逆であって、主アーム３７，従アーム３８が後述する補助地板４６側に配置され、各連結軸の頭は補助地板４６側に突き出ている。
【００４０】
また、主アーム３７には、二つの孔３７ａ，３７ｂが形成され、従アーム３８にも、二つの孔３８ａ，３８ｂが形成されている。そして、孔３７ａ，３８ａは、シャッタ地板１の軸１ｒ，１ｓに回転可能に嵌合されており、孔３７ｂには、先羽根用駆動部材１５の駆動ピン１５ｂが嵌合されている。また、図７（ｂ）に示されているガタ寄せばね４３は、従アーム３８を軸１ｓに嵌合させる前に、コイル部４３ａを軸１ｓに嵌装されており、その一方の腕部４３ｂを軸１ｕに掛け、他方の腕部４３ｃに形成されたフック４３ｄを従アーム３８の孔３８ｂに掛けることによって、従アーム３８を反時計方向ヘ回転させるように付勢している。従って、ガタ寄せばね４３のフック４３ｄの先端は、補助地板４６側となっているが、後述の説明から分かるように、補助地板４６には接触しないようになっている。尚、このガタ寄せばね４３は、ガタ寄せだけの役目をするものであるため、図９から分かるように、上記したセットばね３５よりも細い線材で製作されている。
【００４１】
更に、上記した中間板３６の背面側において、シャッタ地板１の軸１ｙに、図７（ｃ）に示された間座４４が嵌合されている。また、その次に、図８（ａ）に示された先羽根用押さえ板４５が、その孔４５ａ，４５ｂを、シャッタ地板１の軸１ｘ，１ｙに嵌合させている。そして、上記した先羽根群の各羽根３９，４０，４１，４２の先端部は、その先羽根用押さえ板４５と中間板３６との間で作動するようになっている。このうち、間座４４は、先羽根群の４枚の羽根３９，４０，４１，４２が露光開口の下方位置で重畳状態となれる間隔を確保するためのものである。また、先羽根用押さえ板４５は、シャッタ地板１の肉厚部１ｋと同じ役目をするものであって、後述する補助地板４６が合成樹脂で製作された場合には、先羽根用羽根押さえ板４５に代えて、補助地板４６に肉厚部を形成するようにしても差し支えない。
【００４２】
図８（ｂ）には、本実施例の補助地板４６が示されている。この補助地板４６は、金属製であって、略中央部に、既に説明した開口部４６ａが形成されている。また、その開口部４６ａの左側には、三つの孔４６ｂ，４６ｃ，４６ｄと、三つの折曲部４６ｅ，４６ｆ，４６ｇと、逃げ溝４６ｓと、長孔４６ｔとが形成されている。これらのうち、孔４６ｃは、シャッタ地板１の軸１ｕの先端が挿入される孔であり、折曲部４６ｅ，４６ｆ，４６ｇは、中間板３６との間隔が適正に保たれるようにするためのものである。
【００４３】
そして、それらのうち、折曲部４６ｅは、図１１からも分かるように、中間板３６の張出部３６ｈに接するようになっていて、スペースが確保できないために固定することができず、比較的不安定となっている中間板３６の左方中央部を、シャッタ地板１の突起部１ｚと共に、好適に位置規制している。また、逃げ溝４６ｓは、上記したガタ寄せばね４３のフック４３ｄが接触しないようにするためのものであり、その目的が果たせるなら、貫通した長孔として形成されていても、貫通していない窪みとして形成されていても差し支えない。更に、長孔４６ｔは、後羽根用駆動部財１６の駆動ピン１６ｂの先端を挿入させるためのものであって、それにより、後羽根群の主アーム２９との所定の関係が確実に得られるようにしている。
【００４４】
補助地板４６の開口部４６ａの略右側には、鍵穴を横にしたような二つの孔４６ｈ，４６ｉと、二つのフック部４６ｊ，４６ｋと、三つの突出し部４６ｍ，４６ｎ，４６ｐと、折曲部４６ｑとが形成されている。このうち、突出し部４６ｍ，４６ｎ，４６ｐは、先羽根用押さえ板４５の平面を支えるためのものであり、折曲部４６ｑには直方体の緩衝部材４７が接着剤によって取り付けられている。更に、開口部４６ａの下側には、折曲部４６ｒが形成されていて、その上面に、長い直方体をした緩衝部材４８が、同じく接着剤によって取り付けられている。
【００４５】
次に、この補助地板４６の取付け方について説明する。既に説明したように、シャッタ地板１の軸１ｖ，１ｗの先端面にはねじ孔が形成されていて、軸１ｘ，１ｙの先端部近傍の周囲には環状に溝が形成されている。そこで、先ず、孔４６ｈ，４６ｉの左側の大きな開口部を、軸１ｘ，１ｙに嵌合させ、次に、補助地板４６を左側に移動させることによって、右側の小さな開口部の縁を、上記した環状の溝に入り込ませる。そして、この状態で、孔４６ｃを軸１ｕに嵌合させ、フック部４６ｊ，４６ｋを係合部１ｋ1，１ｋ2に引っ掛ける。その後、図８（ｃ）に示されたネジ４９，５０を孔４６ｂ，４６ｄに通して、軸１ｖ，１ｗのねじ孔に螺合させるようにする。
【００４６】
次に、本実施例の作動を説明する。図１及び図１０は、シャッタのセット状態を示している。即ち、セット部材２７が、図示していないカメラ本体側の部材によって、被押動部２７ｄを押され、復帰ばね２８の付勢力に抗して時計方向ヘ回転された後、上記のカメラ本体側の部材の停止によって、そのセット位置を保たされている状態である。そのため、先羽根用駆動部材１５，後羽根用駆動部材１６は、先羽根用駆動ばね２１，後羽根用駆動ばね２４の付勢力に抗して、反時計方向ヘ回転された状態にあり、鉄片部材２０，２３の鉄片部２０ａ，２３ａは、各電磁石１３，１４の鉄芯１３ａ，１４ａに接触させられている。そして、その理由は後述のセット作動の説明によって理解されるが、鉄片部材２０，２３は、圧縮ばね２５，２６を圧縮させ、鉄片部２０ａ，２３ａが取付部１５ｃ，１６ｃの中に若干押し込まれ、反対側の頭部２０ｃ，２３ｃが取付部１５ｃ，１６ｃから離れた状態になっている。
【００４７】
また、この状態においては、先羽根用駆動部材１５の駆動ピン１５ｂが、先羽根群の主アーム３７を反時計方向ヘ回転させているので、４枚の羽根３９，４０，４１，４２は展開状態となって、露光開口を完全に覆っている。他方、後羽根用駆動部材１６も、上記したように反時計方向ヘ回転されているので、それに伴って駆動ピン１６ｂの位置が移動させられているが、図１０から分かるように、セット部材２７のピン２７ｆが後羽根群の従アーム３０の長溝３０ｄに入っているため、従アーム３０はセットばね３５の付勢力によって反時計方向ヘ回転できない状態にある。そのため、主アーム２９の被押動部２９ｂは、駆動ピン１６ｂの移動に追従できず、後羽根群の４枚の羽根３１，３２，３３，３４は、展開状態のままで、露光開口を完全に覆った状態となっている。従って、このセット状態においては、露光開口は、先羽根群の羽根３９，４０，４１，４２と、後羽根群の羽根３１，３２，３３，３４によって、二重に覆われていることになる。
【００４８】
このようなセット状態において、カメラのレリーズボタンが押されると、先ず、先羽根用電磁石１３のコイル１３ｂと後羽根用電磁石１４のコイル１４ｂに通電され、それらの鉄芯１３ａ、１４ａに接触していた鉄片部材２０，２３が磁力によって吸着保持される。その後、図示していないカメラ本体側の部材が、セット部材２７の被押動部２７ｄの押圧力を解いていくので、セット部材２７は、図１０に示された状態から、復帰ばね２８の付勢力によって追従し、初期位置へ向けて、反時計方向ヘ回転されていく。
【００４９】
このようにして、図１０の状態から、セット部材２７が反時計方向ヘ回転すると、セット部材２７のピン２７ｆが、後羽根群の従アーム３０の長溝３０ｄから脱出し、セット部材２７の押動部２７ｂ，２７ｃが各駆動部材１５，１６のローラ１９，２２から離れていくことになる。そのため、先ず、従アーム３０はセットばね３５の付勢力によって、反時計方向ヘ回転される。そのため、主アーム２９も反時計方向ヘ回転され、後羽根群の４枚の羽根３１，３２，３３，３４は、相互の重なり量を大きくしつつ上方へ移動し、露光開口の上方位置に、重畳状態となって格納されていく。そして、この作動は、セットばね３５のフック３５ｄがシャッタ地板１に接触していないためスムーズに行われる。
【００５０】
また、その際、従アーム３０の枢着部近傍位置において、シャッタ地板１側から中間板３６に向けた大きな力が作用して撓まされるようなことがあったとしても、従来のように、従アーム３０が先羽根群のガタ寄せばね４３に接触するようなことは全く有り得ないことであるし、その上、本実施例の場合には、中間板３６が、シャッタ地板１の突起部１ｚと補助地板４６の折曲部４６ｅとによって確実に位置規制されているので、中間板３６は殆ど撓むことがなく、後羽根群は好適に作動させられていく。
【００５１】
このようにして、後羽根群が露光作動開始位置へ作動させられていく一方、先羽根用駆動部材１５，後羽根用駆動部材１６は、先羽根用駆動ばね２１，後羽根用駆動ばね２４の付勢力によって時計方向ヘ回転されるが、鉄片部材２０，２３が各電磁石１３，１４によって吸着保持されているので、各取付部１５ｃ，１６ｃが鉄片部材２０，２３の頭部２０ｃ，２３ｃに当接することによって停止する。従って、この段階における各駆動部材１５，１６の回転は極めて僅かなものであるため、先羽根群の羽根３９，４０，４１，４２も僅かに動くものの、依然として露光開口を覆ったままである。そして、各駆動部材１５，１６が略このような状態になったところへ、上記した後羽根群が作動をしてきて、主アーム２９の被押動部２９ｂが、後羽根用駆動部材１６の駆動ピン１６ｂの押動面１６ｂ1に当接する。その状態が図１２に示されているが、このとき、主アーム２９は、未だ緩衝部材５に当接しておらず、反時計方向ヘの回転作動の途中ということになる。
【００５２】
ところで、言うまでもなく、セットばね３５の付勢力は、後羽根用駆動ばね２４の付勢力よりも弱い。しかしながら、主アーム３０の被押動部３０ｂが後羽根用駆動部材１６の駆動ピン１６ｂに当接する段階になると、後羽根群に大きな慣性が作用しているため、後羽根用駆動部材１６は、図１２の状態から、後羽根用駆動ばね２４と圧縮ばね２６の付勢力に抗して、反時計方向ヘ回転されることになる。そして、その直後に、主アーム２９が緩衝部材５に当接し、４枚の羽根３１，３２，３３，３４の先端が緩衝部材４７（図１及び図８（ｂ）参照）に当接して、後羽根群は停止させられる。
【００５３】
また、このようにして、主アーム２９が駆動ピン１６ｂに当接したときや、後羽根群が停止させられるときにも、アーム２９，３０は撓み等の変形を生じさせられるが、上記した中間板３６の形状と位置規制によって、先羽根群との間には何も問題が生じない。このようにして、後羽根群が緩衝部材５，４７に当接した後も、後羽根用駆動部材１６は作動し、その駆動ピン１６ｂが緩衝部材４に当接した状態が図１３に示されている。従って、この状態においては、後羽根用駆動部材１６の取付部１６ｃは鉄片部材２３の頭部２３ｃから離れている。
【００５４】
その後、後羽根用駆動部材１６は、後羽根用駆動ばね２４と圧縮ばね２６の付勢力によって時計方向ヘ回転させられるが、その過程において、駆動ピン１６ｂの押動面１６ｂ1が主アーム２９の被押動部２９ｂを僅かに押す。そして、その直後に、取付部１６ｃが鉄片部材２３の頭部２３ｃに当接することによって、その後羽根用駆動部材１６の回転が停止される。また、このとき、主アーム２９の僅かな回転によって、後羽根群の羽根３１，３２，３３，３４が若干下方へ移動することになるが、露光開口を覆うような事態にはなっていない。このようにして、後羽根用駆動部材１６と後羽根群の静止した状態が図１４に示されており、この状態が露光作動開始直前の状態である。従って、露光開口は先羽根群の羽根３９，４０，４１，４２のみによって覆われている。
【００５５】
ところで、シャッタ地板１の長孔１ｃには、従来、緩衝部材３を取り付けることはあっても、緩衝部材４を取り付けるようなことはしていない。ところが、本実施例においては、この緩衝部材４を設けたことによって、二重遮光方式のシャッタとしての固有の作用効果が得られるようになっている。即ち、この緩衝部材４を設けていない場合には、上記のようにして後羽根用駆動部材１６が主アーム２９に押されて反時計方向ヘ回転したとき、長孔１ｃの上端部に勢い良く衝突することになるので、時計方向ヘ回転する段階においては、上記した各ばね２４，２６の付勢力の上に、その反作用としてのバウンド力が加わることになる。そのため、主アーム２９は、駆動ピン１６ｂによって押し跳ばされるようになる一方、取付部１６ｃが鉄片部材２３の頭部２３ｃに強く当接することになる。
【００５６】
その結果、セットばね３５の付勢力によって戻ってきた主アーム２９が、駆動ピン１６ｂに当接して安定状態になるまで時間、言い換えれば、主アーム２９が駆動ピン１６ｂによって押されてから、後羽根群が、露光作動開始位置で静止するまでの時間が、細かいバウンドが生じることなどもあって、必要以上に長くなってしまうことになる。他方、取付部１６ｃが強い力で頭部２３ｃに当接する結果、後羽根用電磁石１４の保持力を大きくする必要があるし、電圧が若干でも降下した場合には後羽根用駆動部材１６を露光作動開始位置で停止させることができなくなってしまうことになる。しかし、本実施例の場合には、緩衝部材４を設けたことによって、反作用としてのバウンド力が緩和され、短時間で確実に図１４の状態を得ることが可能となる。
【００５７】
尚、本実施例のように、緩衝部材４を設けることなく、長孔１ｃの上端を長く伸ばすことによって、駆動ピン１６ｂが、その上端に当接しないように構成することも考えられるが、そのようにするには、鉄片部材２３の取付け構成が製作上非常に面倒となるし、また、仮にそのように製作したとしても、後羽根用駆動部材１６の往復作動時間が長くなってしまうという問題を生じるし、しかも、後羽根用駆動ばね２４のチャージ量が可成り大きくなってしまって、結局は、駆動ピン１６ｂが大きな力で主アーム２９に当接してしまうことになる。そのため、本実施例のように構成するのが最善である。
【００５８】
このようにして、図１４に示した露光作動開始直前の状態が、早く確実に得られると、先ず、先羽根用電磁石１３のコイル１３ｂに対する通電が断たれる。すると、鉄片部材２０に対する保持力が失われ、先羽根用駆動部材１５が、先羽根用駆動ばね２１の付勢力によって時計方向へ回転を開始する。そのため、先羽根用駆動部材１５の駆動ピン１５ｂが、主アーム３７を時計方向へ回転させ、先羽根群の４枚の羽根３９，４０，４１，４２を下方へ作動させていく。その結果、羽根３９，４０，４１，４２は相互の重なり量を大きくして行き、スリット形成羽根４２のスリット形成縁によって、露光開口を開いていく。
【００５９】
そして、スリット形成羽根４２のスリット形成縁が、露光開口を完全に全開にした段階になると、先ず、先羽根用駆動部材１５の駆動ピン１５ｂが緩衝部材２に当接し、次に、主アーム３７の根元側の部位が緩衝部材８に当接し、最後に、重畳された４枚の羽根の作動方向の縁が緩衝部材４８に当接することによって停止する。その状態が、図１５に示されている。尚、このような先羽根群の露光作動中や停止時においても、アーム３７，３８は撓み等の変形を生じさせられるが、上記した中間板３６の形状と位置規制によって、後羽根群との間には何も問題が生じない。
【００６０】
上記のようにして、先羽根用電磁石１３のコイル１３ｂに対する通電が断たれてから所定時間が経過すると、今度は、後羽根用電磁石１４のコイル１４ｂに対する通電が断たれる。周知のように、実際には、コイル１４ｂに対する通電が断たれるタイミングは、撮影条件によって様々である。従って、むしろ、先羽根群の露光作動が終了する前に、コイル１４ｂへの通電が断たれることが多いが、本実施例の作動説明においては、説明の都合上、上記のように、先羽根群の露光作動が終了した後に、通電が断たれた場合で説明することにする。
【００６１】
そこで、後羽根用電磁石１４のコイル１４ｂに対する通電が断たれると、鉄片部材２３に対する保持力が失われることになるため、後羽根用駆動部材１６は、後羽根用駆動ばね２４の付勢力によって時計方向へ回転させられるが、このとき、駆動ピン１６ｂの押動面１６ｂ1が主アーム２９の被押動部２９ｂを押し、主アーム２９，従アーム３０を、セットばね３５の付勢力に抗して時計方向ヘ回転させ、後羽根群の４枚の羽根３１，３２，３３，３４を下方へ作動させる。そのため、４枚の羽根３１，３２，３３，３４は、相互の重なりを小さくしつつ、スリット形成羽根３４のスリット形成縁によって、露光開口を閉じていく。
【００６２】
そして、４枚の羽根３１，３２，３３，３４が、露光開口を完全に閉じた段階になると、瞬間的なタイミングで、先ず、後羽根用駆動部材１６の駆動ピン１６ｂが緩衝部材３に当接し、次に、従アーム３０の張出部３０ｂが緩衝部材６に当接し、最後に、スリット形成羽根３４の先端のスリット形成縁が緩衝部材７に当接することによって停止し、露光作動が終了する。その露光作動終了直後の状態が、図１６に示されている。尚、このような後羽根群の露光作動中や停止時においても、アーム２９，３０は撓み等の変形を生じさせられるが、上記した中間板３６の形状と位置規制によって、後羽根群との間には何も問題が生じない。
【００６３】
次に、本実施例のセット作動を説明する。図１６に示された状態において、フィルムの巻き上げが行われると、それに連動して図示していないカメラ本体側の部材が、セット部材２７の被押動部２７ｄを押し、セット部材２７を、復帰ばね２８の付勢力に抗して時計方向ヘ回転させていく。それによって、先ず、セット部材２７の押動部２７ｂが、先羽根用駆動部材１５のローラ１９を押し、先羽根用駆動部材１５を、先羽根用駆動ばね２１の付勢力に抗して、反時計方向ヘ回転させていく。それによって、駆動ピン１５ｂが先羽根群の主アーム３７を反時計方向ヘ回転させることになるので、先羽根群の４枚の羽根３９，４０，４１，４２は、相互の重なり量を小さくしつつ上方へ作動されていく。
【００６４】
そして、先羽根群のスリット形成羽根４２と後羽根群のスリット形成羽根３４の重なり量が所定量に達すると、セット部材２７は、更に、押動部２７ｃによって、後羽根用駆動部材１６のローラ２２を押し、後羽根用駆動部材１６を、後羽根用駆動ばね２４の付勢力に抗して、反時計方向ヘ回転させていく。このとき、後羽根群の従アーム３０はセットばね３５によって反時計方向ヘ回転するように付勢されているため、主アーム２９と従アーム３０とは、主アーム２９の被押動部２９ｂと駆動ピン１６ｂの押動面１６ｂ1との接触を保ちながら、反時計方向ヘ回転しようとする。しかし、そのときには、既に、セット部材２７のピン２７ｆが、従アーム３０の腕部３０ｃの作動軌跡内に移動してきているため、従アーム３０は、僅かに回転した段階で、その傾斜面３０ｃ1がピン２７ｆに当接することになる。そのときの状態が図１７に示されている。
【００６５】
そして、その後は、セット部材２７の回転に伴って、ピン２７ｆが腕部３０ｃの傾斜面３０ｃ1を押すことになるので、従アーム３０は、セットばね３５の付勢力に抗して僅かに時計方向ヘ回転され、ピン２７ｆは、従アーム３０の長溝３０ｄの中に入っていく。従って、後羽根群の場合には、僅かにセット方向ヘ作動させられるが、その直後には、また、戻されてしまうことになる。そのため、セット作動時においては、先羽根用駆動部材１５と後羽根用駆動部材１６がセットされて行き、先羽根群の４枚の羽根３９，４０，４１，４２は展開されて、露光開口を覆っていくが、後羽根群の４枚の羽根３１，３２，３３，３４は、実質的に露光開口を覆った状態のままになっていることになる。
【００６６】
その後、先羽根群の羽根３９，４０，４１，４２が展開状態となって露光開口を覆い終わると、鉄片部材２０，２３の鉄片部２０ａ，２３ａは、相前後して各電磁石１３，１４の鉄芯１３ａ，１４ａに接触し、圧縮ばね２５，２６の付勢力に抗して、取付部１５ｃ，１６ｃの中に押し込まれるが、その僅かに押し込まれた段階で、セット部材２７の回転が停止されることによって、一連のセット作動が終了する。従って、セット部材２７は、セット作動終了後、直ちに初期位置へは復帰せず、次の撮影が行われるまで、図示していないカメラ本体側の部材によって、その位置を保たされることになる。そのセット状態が図１及び図１０に示された状態である。
【００６７】
このように、本実施例においては、従来の二重遮光方式でないシャッタに比較して、特に部品点数が増えるわけではないので、コンパクトで低コストな二重遮光方式のシャッタが得られるという特徴がある。即ち、セット部材２７のピン２７ｆは、セット部材２７が初期位置に復帰し停止するための従来のピンと兼用させ、その長さを若干長くしただけである。また、セットばね３５は、従来のガタ寄せばねの付勢力を大きくしただけのものであり、ガタ寄せばねを兼用させたものである。更に、従アーム３０は、従来からの従アームのように、薄板材料の形状を一部変えるだけのものであるから、加工が極めて容易である。
【００６８】
尚、上記の実施例においては、セットばね３５が従アーム３０に掛けられていて、ガタ寄せばねを兼用しているが、兼用させない場合には、セットばね３５に相当するばねを主アーム２９に掛け、従来からのガタ寄せばねを従アーム３０に掛けるようにしても差し支えない。また、上記の実施例においては、セット部材２７が、セット時には、カメラ本体側の部材によって初期位置から動かされ、初期位置へは、復帰ばね２８の付勢力によって復帰するように構成されているが、本発明は、そのような構成に限定されず、セット部材２７に復帰ばね２８が掛けられてなく、初期位置からの往復作動を他の部材の往復作動に連動して作動させられるようにした構成にも適用することが可能である。
【００６９】
また、上記の実施例においては、セット作動時に、セット部材２７のピン２７ｆが従アーム３０の傾斜面３０ｃ1を押すことによって、若干反時計方向ヘ回転されている従アーム３０を時計方向ヘ押し戻すように構成されているが、特にそのような構成にすることもない。即ち、腕部３０ｃの先端には傾斜面３０ｃ1が形成されておらず、セット部材２７のピン２７ｆが長溝３０ｄに入った後、そのピン２７ｆに腕部３０ｃが当接し、従アーム３０の反時計方向ヘの回転が阻止されるようにしても差し支えない。但し、その場合には、タイミングの取り方によっては、スリット形成羽根３４のスリット形成縁が露光開口を開いた状態にせざるを得なくなる場合もあるが、その場合であっても、漏光は羽根相互の重なり部で生じることが多いため、先羽根群の羽根３９と羽根４０の重なり部を覆う状態になってさえいれば、それなりの遮光効果を得ることが可能である。
【００７０】
また、上記の実施例においては、シャッタ地板１と中間板３６との間を後羽根群の羽根室にしているが、これは、説明するまでもなく、セット部材２７のピン２７ｆと従アーム３０の長溝３０ｄとの連結関係を良好に得られ易くするためであり、その連結関係について、特に問題がないと判断した場合には、中間板３６と補助地板４６との間を、後羽根群の羽根室としても差し支えない。更に、上記の実施例は、本発明を二重遮光方式のシャッタに適用したものであるが、本発明は、二重遮光方式のシャッタに限定されるものではなく、ましてや、実施例のようなタイプの二重遮光方式のシャッタに限定されるものでもないことは、言うまでもない。
【００７１】
【発明の効果】
以上のように、本発明によれば、各羽根群のアームに掛けられているガタ寄せばねの腕部が作動する平面領域を、ガタ寄せばねのコイル部に接しないようにして、中間板によって仕切っているため、先羽根群と後羽根群が作動上干渉せず、安定した作動が得られるという特徴を有している。
【図面の簡単な説明】
【図１】被写体側、即ち撮影レンズ側から視た実施例の平面図であって、セット状態、即ち二重遮光状態を示したものである。
【図２】実施例のシャッタ地板と、それに直接関連する部材を示した平面図である。
【図３】図３（ａ）〜図３（ｃ）は、図２に示したシャッタ地板の撮影レンズ側に取り付けられる部材のうち、一番撮影レンズ側に配置されるものから順に示した平面図である。
【図４】図４（ａ）〜図４（ｅ）は、シャッタ地板の撮影レンズ側に取り付けられる部材のうち、図３（ｃ）に示したものよりもシャッタ地板側に取り付けられる部材を、主に撮影レンズ側に配置されるものから順に図１の状態で示した平面図である。
【図５】図５（ａ）及び図５（ｂ）は、図１の状態における後羽根群とセットばねを示した平面図である。
【図６】実施例に用いられている中間板の平面図である。
【図７】図７（ａ）〜図７（ｃ）は、図１の状態における先羽根群と、先羽根群のガタ寄せばねと、先羽根群の羽根室の間隙を確保するための間座を示した平面図である。
【図８】図８（ａ）〜図８（ｃ）は先羽根群よりもフィルム面側に配置される部材を、先羽根群側から順に示した平面図である。
【図９】実施例の部分的な左側面図である。
【図１０】図１の左側の部分だけを拡大し、要部の構成が理解できるようにするために、図１に示されている一部の部材を取り外して示した平面図である。
【図１１】図１０に示されている一部の部材を取り外し、二つの羽根室を構成しているシャッタ地板，中間板，補助地板の重なり関係を理解し易いように示した平面図である。
【図１２】図１の左側の部分だけを拡大して示した平面図であって、二重遮光状態が解除された後の後羽根群の作動途中の状態を示している。
【図１３】図１の左側の部分だけを拡大して示した平面図であって、図１２に示した状態の直後の状態を示している。
【図１４】図１の左側の部分だけを拡大して示した平面図であって、露光作動開始直前の状態を示している。
【図１５】図１の左側の部分だけを拡大して示した平面図であって、露光作動中における露光開口の全開状態を示している。
【図１６】図１の左側の部分だけを拡大して示した平面図であって、露光作動終了直後の状態を示している。
【図１７】実施例において、セット作動の過程におけるセット部材と後羽根群との関係を、拡大して示した平面図である。
【符号の説明】
１                      シャッタ地板
１ａ，３６ａ，４６ａ    開口部
１ｂ，１ｃ，１ｄ，１ｅ，３６ｂ，３６ｃ  長孔
１ｆ，１ｇ，１ｈ，１ｉ  軸
１ｈ1，１ｉ1，１ｗ1   ねじ孔
１ｊ                    座ぐり部
１ｋ，１ｍ，１ｎ        肉厚部
１ｋ1，１ｋ2           係合部
１ｋ3，１ｋ4           斜面
１ｐ，１ｑ              棚部
１ｘ1                   間座部
１ｚ                    突起部
２，３，４，５，６，７，８，４７，４８  緩衝部材
９                      支持板
９ａ，９ｂ，９ｃ，９ｄ，１０ａ，１０ｂ，１０ｃ，１０ｄ，２９ａ，３０ａ，３０ｅ，３６ｄ，３６ｅ，３７ａ，３７ｂ，３８ａ，３８ｂ，４５ａ，４５ｂ，４６ｂ，４６ｃ，４６ｄ，４６ｈ，４６ｉ  孔
９ｅ，９ｆ              爪部
９ｇ，１７ａ，１８ａ，２７ｅ  ばね掛け部
９ｈ，９ｉ，１５ｃ，１６ｃ  取付部
１０                    プリント配線板
１１，１２，４９，５０  ネジ
１３                    先羽根用電磁石
１３ａ，１４ａ          鉄芯
１３ｂ，１４ｂ          コイル
１４                    後羽根用電磁石
１５                    先羽根用駆動部材
１５ａ，１６ａ，２７ａ  筒部
１５ｂ，１６ｂ          駆動ピン
１６                    後羽根用駆動部材
１６ｂ1                 押動面
１７，１８              ラチェット車
１７ｂ，１８ｂ          歯部
１９，２２              ローラ
２０，２３              鉄片部材
２０ａ，２３ａ          鉄片部
２０ｂ，２３ｂ          軸部
２０ｃ，２３ｃ          頭部
２１                    先羽根用駆動ばね
２４                    後羽根用駆動ばね
２５，２６              圧縮ばね
２７                    セット部材
２７ｂ，２７ｃ          押動部
２７ｄ，２９ｂ          被押動部
２７ｆ                  ピン
２８                    復帰ばね
２９，３７              主アーム
３０，３８              従アーム
３０ｂ，３６ｆ、３６ｇ，３６ｈ，３６ｉ  張出部
３０ｃ、３５ｂ、３５ｃ、４３ｂ，４３ｃ  腕部
３０ｃ1                 傾斜面
３０ｄ                  長溝
３１，３２，３３，３４，３９，４０，４１，４２  羽根
３５                    セットばね
３５ａ，４３ａ          コイル部
３５ｄ，４３ｄ          フック
３６                    中間板
３６ｊ，３６ｋ          逃げ部
４３                    ガタ寄せばね
４４                    間座
４５                    先羽根用押さえ板
４６                    補助地板
４６ｅ，４６ｆ，４６ｇ，４６ｑ，４６ｒ  折曲部
４６ｊ，４６ｋ          フック部
４６ｍ，４６ｎ，４６ｐ  突出し部
４６ｓ                  逃げ溝
【図１】
0004280364.tif 000002
【図２】
0004280364.tif 000003
【図３】
0004280364.tif 000004
【図４】
0004280364.tif 000005
【図５】
0004280364.tif 000006
【図６】
0004280364.tif 000007
【図７】
0004280364.tif 000008
【図８】
0004280364.tif 000009
【図９】
0004280364.tif 000010
【図１０】
0004280364.tif 000011
【図１１】
0004280364.tif 000012
【図１２】
0004280364.tif 000013
【図１３】
0004280364.tif 000014
【図１４】
0004280364.tif 000015
【図１５】
0004280364.tif 000016
【図１６】
0004280364.tif 000017
【図１７】
0004280364.tif 000018